(57)【特許請求の範囲】
【請求項１】
利用者が着座体に座ったり、立ち上がる時の動作を介助するための着座用補助装置において、
上記着座体を囲む状態で配置されるフレームと、
このフレームの前端部に一端部を回動可能に連結して設けられた着座補助部材と、
この着座補助部材を起立方向に付勢した付勢手段と、
上記着座補助部材の一端部の幅方向両側と上記フレームとにそれぞれ連結して設けられたリンク機構と、
このリンク機構に一端を連結して設けられ他端部を押し引きすることで上記リンク機構を作動させて上記着座補助部材を回動させる操作杆とを具備し、
上記リンク機構は、上記操作杆の他端部を前方へ押すことで上記着座補助部材を上昇方向に回動させる構成であることを特徴とする着座補助装置。
【請求項２】
利用者が着座体に座ったり、立ち上がる時の動作を介助するための着座用補助装置において、
上記着座体を囲む状態で配置されるフレームと、
このフレームの前端部に一端部を回動可能に連結して設けられた着座補助部材と、
この着座補助部材を起立方向に付勢した付勢手段と、
上記着座補助部材の一端部の幅方向両側と上記フレームとにそれぞれ連結して設けられたリンク機構と、
このリンク機構に一端を連結して設けられ他端部を押し引きすることで上記リンク機構を作動させて上記着座補助部材を回動させる操作杆とを具備し、
上記リンク機構は、上記操作杆の他端部を後方へ引くことで上記着座補助部材を上昇方向に回動させる構成であることを特徴とする着座補助装置。
【発明の詳細な説明】
【０００１】
【発明の属する技術分野】
この発明は足腰の筋力が低下した利用者が利用するのに好適する着座補助装置に関する。
【０００２】
【従来の技術】
足腰の筋力が弱っている利用者が排泄する場合、便器の便座に座ったり、立ち上がることが容易でないことがあり、そのような場合には介助者の介助が必要なことがある。
【０００３】
しかしながら、足腰の筋力が弱っている利用者を立ち上がらせたり、座らせるなどの介助は容易でなく、介助者に掛かる負担が大きいから、介助者の負担を軽減することが望まれている。
【０００４】
一般に、便器の便座は、後端部を支点として便器に回動可能に設けられ、利用時には便器上にほぼ水平な回動状態で保持されている。そのため、上記便座に着座するとき、利用者は臀部を便座の高さ位置まで深く降ろさなければならないから、その動作が足腰に大きな負担を掛けることになる。
【０００５】
また、利用者が立ち上がるときには、便座に深く降ろした臀部を上げなければならず、しかも脚部を曲げた状態から伸ばさなければならないから、座るとき以上に大きな負担となる。
【０００６】
そこで、便器の便座をばねで起立方向に付勢することが考えられている。このような構成にすれば、利用者が着座するときには、便座はばねの付勢力で上昇方向に回動した状態にある。
【０００７】
そのため、利用者は臀部をわずかに降ろすことで上記便座に当てることができるから、比較的楽に座ることができ、立ち上がるときには上昇方向に付勢された便座によって臀部が押し上げられるから、その場合も比較的楽に立ち上がることが可能となる。
【０００８】
【発明が解決しようとする課題】
ところで、上記構成の便器は、便座がばねの付勢力によって起立方向に付勢されている。そのため、利用者が比較的楽に立ち上がることができるようにするためには、ばねの付勢力を強くして利用者の臀部を強く押し上げるようにしなければならない。また、着座するときにも、利用者の臀部を確実に受けることができるようにするためにはばねの付勢力を十分に強くしなければならない。
【０００９】
しかしながら、ばねの付勢力を強くすると、着座するときに臀部で便座をばねの付勢力に抗して強く押圧しなければならないから、臀部に床擦れが生じているような場合には利用者に掛かる負担が大きくなるということがあり、また体重の軽い利用者の場合には着座状態が安定しないということもある。
【００１０】
しかも、利用者が立ち上がるときには、ばねの付勢力に応じて利用者の臀部が便座によって強く押されることになるから、足腰の弱い利用者の場合には足腰がふらつくなどして立ちあがるときの安定性が悪くなるということがある。
【００１１】
この発明は、着座補助部材をばねによって上昇方向に強く付勢しなくとも、利用者が比較的楽に座ったり、立ち上がることができるようにした着座補助装置を提供することにある。
【００１３】
【課題を解決するための手段】
請求項１の発明は、利用者が着座体に座ったり、立ち上がる時の動作を介助するための着座用補助装置において、
上記着座体を囲む状態で配置されるフレームと、
このフレームの前端部に一端部を回動可能に連結して設けられた着座補助部材と、
この着座補助部材を起立方向に付勢した付勢手段と、
上記着座補助部材の一端部の幅方向両側と上記フレームとにそれぞれ連結して設けられたリンク機構と、
このリンク機構に一端を連結して設けられ他端部を押し引きすることで上記リンク機構を作動させて上記着座補助部材を回動させる操作杆とを具備し、
上記リンク機構は、上記操作杆の他端部を前方へ押すことで上記着座補助部材を上昇方向に回動させる構成であることを特徴とする着座補助装置にある。
【００１４】
請求項２の発明は、利用者が着座体に座ったり、立ち上がる時の動作を介助するための着座用補助装置において、
上記着座体を囲む状態で配置されるフレームと、
このフレームの前端部に一端部を回動可能に連結して設けられた着座補助部材と、
この着座補助部材を起立方向に付勢した付勢手段と、
上記着座補助部材の一端部の幅方向両側と上記フレームとにそれぞれ連結して設けられたリンク機構と、
このリンク機構に一端を連結して設けられ他端部を押し引きすることで上記リンク機構を作動させて上記着座補助部材を回動させる操作杆とを具備し、
上記リンク機構は、上記操作杆の他端部を後方へ引くことで上記着座補助部材を上昇方向に回動させる構成であることを特徴とする着座補助装置にある。
【００１７】
このような構成とすることで、着座するときや立ち上がるときに、利用者が操作杆を操作することで、着座補助部材を起立方向へ回動させたり、倒伏方向へ緩やかに倒伏させることができるから、付勢手段による付勢力を強くしなくとも、比較的楽に着座したり、立ち上がることが可能となる。
【００１８】
【発明の実施の形態】
以下、この発明の実施の形態を図面を参照して説明する。
【００１９】
図１乃至図４はこの発明の第１の実施の形態の着座補助装置を示す。この着座補助装置はフレーム１を備えている。このフレーム１は、図１と図２に示すようにパイプ材を逆Ｕ字状に曲成することで形成された一対の後脚２と、この後脚２の一側と他側とに一端が固着された側部材３と、これら側部材３の他端にそれぞれ連結された前脚４とから構成されている。
【００２０】
上記前脚４の上部は後方に向かってＬ字状に屈曲された折り曲げ部５に形成され、この折り曲げ部５の末端は上記側部材３の中途部上面に固着されている。そして、上記構成のフレーム１は、着座体としての便器６を囲む状態で配置される。
【００２１】
上記前脚４の折り曲げ部５の一端部、つまりフレーム１の前端部には取付板７が固着され、この取付板７にはコ字状の枠状部材８の両側前端部が支軸９によって回動可能に連結されている。この枠状部材８には、図１に示すように前端部を枠状部材８の回動支点よりも後方に位置させて便座１１が保持されている。さらに、枠状部材８の後端部上面には温水洗浄器１２が取り付けられている。
【００２２】
上記枠状部材８の両側中途部とフレーム１の側部材３との間にはそれぞれ付勢手段としてのガススプリング１３が設けられている。このガススプリング１３のロッド１３ａは突出方向に付勢されている。したがって、枠状部材８は上記ガススプリング１３の付勢力によって所定の回動角度で起立している。
【００２３】
上記前脚４の折り曲げ部５の後端部にはブラケット１４が設けられている。このブラケット１４には操作杆１５の下端が支軸１６によって回動可能に連結されている。この操作杆１５は、直杆部１５ａと、この直杆部１５ａの上部に固着された曲杆部１５ｂとからなる。上記直杆部１５ａは下端が上記ブラケット１４に支軸１６によって回動可能に連結され、上記曲杆部１５ｂは先端部が上記フレーム１の前方に向かって延出されている。
【００２４】
図３と図４に示すように、操作杆１５と枠状部材８の側部前端部とはリンク機構１７によって連結されている。このリンク機構１７は、上記直杆部１５ａの下端部にフレーム１の前方に向くよう一端が固着されたＬ字状の第１のリンク１８を有し、この第１のリンク１８の他端には直線状の第２のリンク１９の一端が回動可能に連結されている。この第２のリンク１９の他端部はフレーム１の前方に延出され、その他端には直線状の第３のリンク２１の一端が回動可能に連結されている。この第３のリンク２１の他端は上記枠状部材８の前端部の側部に固着されている。
【００２５】
したがって、上記操作杆１５を図３に鎖線で示す状態から実線で示す状態へ回動、つまり前方へ押し下げれば、この操作杆１５の回動に上記リンク機構１７が連動してほぼ水平に倒伏した便座１１を起立方向へ回動させることができるようになっている。
【００２６】
このような構成の着座補助装置において、利用者が便座１１に着座していないときには、図４（ａ）に示すようにガススプリング１３の付勢力によって便座１１が設けられた枠状部材８は前端部の支軸９を支点として所定の角度で回動上昇している。
【００２７】
この状態で利用者が上記便座１１に着座する場合、利用者は後向きになって両手で操作杆１５の曲杆部１５ｂの先端部を把持し、ついで腰を下して臀部を便座１１に当てる。その状態で臀部を徐々に下げれば、その重量によって便座１１はガススプリング１３の付勢力に抗して便器６の上面に当たるまで倒伏方向へ回動する。
【００２８】
したがって、利用者は便座１１によって臀部が支えられながら着座することができるから、腰や脚部に大きな負担を掛けることがない。しかも、着座時には利用者が把持した操作杆１５が便座１１の倒伏方向の回動に連動して回動する。
【００２９】
そのため、利用者は操作杆１５に加える力を調整することで、上記便座１１の倒伏方向への回動速度を変えることができるから、利用者の腰や脚部に負担が掛からないよう、便座１１の倒伏方向への回動速度をさらに緩やかにして着座することもできる。さらに、利用者は腰を下ろすときには操作杆１５を把持しているから、身体がふらつくようなことなくその動作を安定して行うことができる。
【００３０】
便座１１を倒伏させて着座した利用者が起立する場合には、操作杆１５の曲杆部１５ｂの先端部を把持し、その先端部を図４（ｂ）に矢印で示すように前方へ押し下げる。
【００３１】
それによって、この操作杆１５の回動に便座１１が設けられた枠状部材８がリンク機構１７によって前端部を支点として起立する方向に回動するから、利用者は臀部が押し上げられることになる。そのとき、枠状部材８にはガススプリング１３の付勢力が加わるから、操作杆１５を前方に押し下げるために要する操作力を軽減することができる。
【００３２】
したがって、利用者は比較的軽い操作力で操作杆１５を操作することで、臀部が斜め前方に押し上げられることになるから、足腰に大きな負担を掛けることなく立ち上がることができる。このときも、利用者は操作杆１５を把持しているので、足腰の状態が安定するまで身体を確実に保持しておくことができる。
【００３３】
しかも、枠状部材８に設けられた便座１１の前端が枠状部材８の回動支点となる支軸９よりも後方に位置している。そのため、利用者が便座１１を回動上昇させて起立するときに、便座１１の先端部が脚にぶつかることがないから、利用者は安定した状態で立ち上がることができる。
【００３４】
図５及び図６（ａ），（ｂ）はこの発明の第２の実施の形態を示す。この実施の形態はリンク機構１７Ａの変形例であって、このリンク機構１７Ａは操作杆１５を後方へ引くことで枠状部材８をほぼ水平に倒伏した状態から起立方向へ回動上昇させることができるようになっている。
【００３５】
すなわち、上記リンク機構１７Ａは操作杆１５の直杆部１５ａの下端部にフレーム１の前方に向かうよう一端が固着された直杆状の第４のリンク３１を有する。この第４のリンク３１の他端には、第４のリンク３１に比べて短尺な第５のリンク３２の一端が枢着されている。この第５のリンク３２の他端は枠状部材８の前端部の側部下面に枢着されている。
【００３６】
このような構成によれば、図６（ｂ）に示すように便座１１に利用者が着座し、枠状部材８がガススプリング１３の付勢力に抗して倒伏した状態において、利用者が操作杆１５の曲杆部１５ｂの先端部を把持して後方に引けば、リンク機構１７Ａが作動して図６（ａ）に示すように枠状部材８が起立方向に回動する。
【００３７】
したがって、利用者は足腰に大きな負担を掛けることなく、比較的楽に立ち上がることが可能となる。この場合も、枠状部材８にはガススプリング１３の付勢力が作用しているから、利用者は比較的軽い操作力によって操作杆１５を後方へ引くことができる。
【００３８】
また、利用者が着座する場合には、便座１１が設けられた枠状部材８がガススプリング１３の付勢力によって所定角度に回動上昇している。そのため、利用者は臀部を大きく落とすことなく上記便座１１に当てることができるから、第１の実施の形態と同様、足腰に大きな負担を掛けることなく着座することができる。
【００３９】
なお、上記第１、第２の実施の形態において、操作杆１５の操作は、利用者が自ら行ってもよいが、利用者の状態などによっては介助者が行ったり、手助けをするなどしてもよいこと勿論である。
【００４０】
図７（ａ），（ｂ）はこの発明の第３の実施の形態を示す。この実施の形態は便器６に便座３５が回動可能に取り付けられている場合で、そのような場合には着座補助装置の枠状部材８にはキャンバスなどのような強度を有する布地やネットなどの材料によって形成されたシート３６を張設する。このシート３６には上記便座３５と対応する位置に開口部３６ａが形成されている。
【００４１】
シート３６は枠状部材８にベルベットファスナなどでその周囲を着脱可能に固定されており、汚れたら取り外して洗濯することができる。また、シート３６にはパイル地を重合して暖かくしたり、シート３６上面に柔らかいクッションを張り付けて使用してもよい。また、シート３６は柔軟であるため、便座３５の曲面に沿って湾曲するから、利用者は臀部に違和感なく安定した状態で使用することができるということもある。
【００４２】
このような構成の着座補助装置によれば、便器６に便座３５が設けられている場合に適用することができる。
【００４３】
この発明は上記各実施の形態に限定されるものでなく、たとえば着座体としては便器に限られず、椅子などであってもよく、要は利用者が座ったり、立ち上がったりするものであれば、この発明の着座補助装置を適用することができる。
【００４４】
【発明の効果】
以上のように、この発明によれば、フレームに回動可能に設けられた着座補助部材を、付勢手段によって起立方向に付勢するとともに、操作杆によって回動を制御できるようにした。
【００４５】
そのため、利用者が着座するときや立ち上がるときに、操作杆の操作によって着座補助部材を起立方向へ回動させたり、倒伏方向へ緩やかに倒伏させることができるから、付勢手段による付勢力を強くしなくとも、比較的楽に着座したり、立ち上がることが可能となる。
【図面の簡単な説明】
【図１】この発明の第１の実施の形態を示す便器を囲む状態で着座補助装置を配置した斜視図。
【図２】同じくフレームの斜視図。
【図３】同じくリンク機構の側面図。
【図４】（ａ）は同じく利用者が着座するときの説明図、（ｂ）は同じく立ち上がるときの説明図。
【図５】この発明の第２の実施の形態を示すリンク機構の側面図。
【図６】（ａ）は同じく着座するときの説明図、（ｂ）は同じく立ち上がるときの説明図。
【図７】（ａ）はこの発明の第３の実施の形態を示す便器を囲む状態でフレームを配置した状態の斜視図、（ｂ）は同じくフレームの斜視図。
【符号の説明】
１…フレーム
６…便器（着座体）
８…枠状部材（着座補助部材）
１１…便座（着座補助部材）
１３…ガススプリング（付勢手段）
１５…操作杆
１７，１７Ａ…リンク機構
３５…便座
３６…シート
【図１】
0003600091.tif 000002
【図２】
0003600091.tif 000003
【図３】
0003600091.tif 000004
【図４】
0003600091.tif 000005
【図５】
0003600091.tif 000006
【図６】
0003600091.tif 000007
【図７】
0003600091.tif 000008